(57)【要約】  本開示は、シート（１，１０１，２０１，３００１）用のカバーアセンブリ（１００，１００１，３１００）であって、シート（１，１０１，２０１，３００１）の支持フレーム（３）を覆うようになっているカバー（４，１０４，３００４）と、休止時の収縮状態及び動作時の膨張状態をとるようになっている膨張可能部材（２，１３，１４，２０２，２０３，３００２）とを含むカバーアセンブリ（１００，１００１，３１００）に関する。膨張可能部材（２，１３，１４，２０２，２０３，３００２）は、カバー（４，１０４，３００４）の、支持フレーム（３）に対向するようにされた側部に位置付けられる。カバー（４，１０４，３００４）は、膨張可能部材（２，１３，１４，２０２，２０３，３００２）を、収縮状態と膨張状態との両方において含むようになっている。
2013522096.tif 000002
【特許請求の範囲】
【請求項１】
シート（１，１０１，２０１，３００１）用のカバーアセンブリ（１００，１００１，３１００）であって、
カバー（４，１０４，３００４）と、
休止時の収縮状態及び動作時の膨張状態をとるようになっている膨張可能部材（２，１３，１４，２０２，２０３，３００２）と
を備え、
前記膨張可能部材（２，１３，１４，２０２，２０３，３００２）が、前記カバー（４，１０４，３００４）の側部又は表面に設置され、
前記カバー（４，１０４，３００４）が、前記膨張可能部材（２，１３，１４，２０２，２０３，３００２）を、前記収縮状態及び前記膨張状態の両方におい収容するようになっているカバーアセンブリ（１００，１００１，３１００）。
【請求項２】
前記カバー（４，１０４，３００４）が、膨張可能部材（２，１３，１４，２０２，２０３，３００２）に対して完全な覆いを形成する、請求項１に記載のカバーアセンブリ（１００，１００１，３１００）。
【請求項３】
前記カバー（４，１０４）が、少なくとも部分的に延出可能なカバー（４，１０４，３００４；６，１０６，３００６）である、請求項１又は２に記載のカバーアセンブリ（１００，１００１，３１００）。
【請求項４】
前記カバー（４，３００４）が弾性材料からなる、請求項３に記載のカバーアセンブリ（１００，１００１，３１００）。
【請求項５】
前記カバー（４，３００４）が、弾性インサート（６，３００６）を含む、請求項３に記載のカバーアセンブリ（１００，１００１，３１００）。
【請求項６】
前記カバー（１０４）が、蛇腹状部（１０６）を含む、請求項３に記載のカバーアセンブリ（１００，１００１，３１００）。
【請求項７】
前記膨張可能部材（２，３００２）が、少なくとも２つの側部ウイング（２ａ，２ｂ；３００２ａ，３００２ｂ）を含む、請求項１〜６のいずれか一項に記載のカバーアセンブリ（１００，１００１，３１００）。
【請求項８】
前記膨張可能部材（２）の各部分（２ａ，２ｂ；３００２ａ，３００２ｂ）に接続し、膨張状態における前記部分（２ａ，２ｂ；３００２ａ，３００２ｂ）を既定の相互位置に保持するようになっている少なくとも１つの牽引部材（４０，４２）を備える、請求項１〜７のいずれか一項に記載のカバーアセンブリ（１００，１００１，３１００）。
【請求項９】
前記部分が前記側部ウィング（２ａ，２ｂ）である、請求項７又は８を組み合わせた、請求項８に記載のカバーアセンブリ（１００，１００１，３１００）。
【請求項１０】
前記牽引部材（４０，４２）が弾性テープである、請求項９又は１０に記載のカバーアセンブリ（１００，１００１，３１００）。
【請求項１１】
前記シート（１，２０１）の座席（９）の第１側部の領域に設置されるようになっている第１膨張可能部材（１３）と、前記座席（９）の第２側部の領域に設置されるようになっている第２膨張可能部材（１４）とを備える、請求項１〜１０のいずれか一項に記載のカバーアセンブリ（１００，１００１，３１００）。
【請求項１２】
前記膨張可能部材（２，１３，１４，２０２，２０３，３００２）が、前記膨張可能部材（２，１３，１４，２０２，２０３，３００２）内部に設置されるとともに前記膨張可能部材（２，１３，１４，２０２，２０３，３００２）の表面部（２１，２２，２９，３０）に安定的に組み込まれる複数のタイ部材（２７）を備え、
前記タイ部材（２７）が、前記膨張可能部材（２，１３，１４，２０２，２０３，３００２）が前記収縮状態にある時は該タイ部材（２７）が引っ張られていない状態で前記膨張可能部材（２，１３，１４，２０２，２０３，３００２）の内部に畳まれ、前記膨張可能部材（２，１３，１４，２０２，２０３，３００２）が前記膨張状態にある時は該タイ部材（２７）に引張応力がかかるようなサイズを有している、請求項１〜１１のいずれか一項に記載のカバーアセンブリ（１００，１００１，３１００）。
【請求項１３】
前記膨張可能部材（２，１３，１４，２０２，２０３，３００２）が、対応する周縁部（２３，２４）に沿って一方が他方に固定されて内部チャンバ（２５）を画成する第１壁部（２１）及び第２壁部（２２）と、前記チャンバ（２５）内に位置付けられ、前記第１壁部（２１）に少なくとも部分的に内部接着された第１メッシュ（２９）及び前記第２壁部（２２）に少なくとも部分的に内部接着された第２メッシュ（３０）を含む織物構造とを備え、
前記タイ部材（２７）は、その両端（２７ａ，２７ｂ）が前記第１メッシュ（２９）と前記第２メッシュ（３０）とにそれぞれ固定されている、請求項１２に記載のカバーアセンブリ（１００，１００１，３１００）。
【請求項１４】
前記膨張可能部材（２，１３，１４，２０２，２０３，３００２）が、衝突時に膨張するようになっている、請求項１〜１３のいずれか一項に記載のカバーアセンブリ（１００，１００１，３１００）。
【請求項１５】
請求項１〜１４のいずれか一項に記載のカバーアセンブリ（１００，１００１，３１００）を含み、前記カバーが前記シート（１，１０１，２０１，３００１）の支持フレーム（３）を覆うようになっているシート（１，１０１，２０１，３００１）。
【請求項１６】
前記シート（１，１０１，２０１，３００１）が、自動車のシート（３００）である、請求項１５に記載のシート（１，１０１，２０１，３００１）。
【請求項１７】
バックレスト（８）を備え、
前記膨張可能部材（２，１３，１４，２０２，２０３，３００２）が、前記バックレスト（８，２２３）の側部に位置付けられ、
前記膨張可能部材（２，１３，１４，２０２，２０３，３００２）が前記膨張状態にある時、前記シート（１，１０１，２０１，３００１）は、該シート（１，１０１，２０１，３００１）の前方領域に向かって延在する側方バリア（１１，１２，３０１１，３０１２）を有する、請求項１５又は１６に記載のシート（１，１０１，２０１，３００１）。
【請求項１８】
前記シート（１，１０１，２０１，３００１）が、座席（９）と、該座席（９）の両側部に位置付けられた保護バリア（１５，１６）とを備える、請求項１７に記載のシート（１，１０１，２０１，３００１）。
【請求項１９】
ヘッドレスト（１０）と、ヘッドレスト（１０）の側部に位置付けられた側方バリア（１１，１２，３０１１，３０１２）とを備える、請求項１７又は１８に記載のシート（１，１０１，２０１，３００１）。
【請求項２０】
請求項１５〜１９のいずれか一項に記載のシート（１，１０１，２０１，３００１）を含む車両（３００）。
【発明の詳細な説明】
【技術分野】
【０００１】
本開示は、シート用のカバーアセンブリと、車両による移動中、複数の一次及び二次衝突から乗員若しくは車両の運転者又は同様の使用者を保護するように適切に構成且つ適合されたシートとに関する。
【０００２】
当該シートは、好ましくは自動車のシートである。
【０００３】
本開示はまた、本開示に係るシートを含む車両に関する。
【背景技術】
【０００４】
ここ数年、運転、例えば、通常の日常的な自動車の使用や、スポーツ活動、より一般的には車両を使用して行われ潜在的に衝突に晒される危険性が考えられる活動に対する安全性に関する調査が継続的に行われている。その継続的な調査の結果、保護装置を車両の使用者が着座するシート又は他の座席（例えばチャイルドシート）に組み込んで、衝突時に使用者を保護するとともに使用者を出来るだけしっかりとシートに着座させておくことが考え出された。
【０００５】
換言すれば、衝突時に乗員をシートに保持する必要がある。この必要を満たそうとするために取られる方法としては、使用者がシートに着座している時に衝突による影響を受ける可能性のあるその使用者の身体部分の領域におけるシートの一部分に、気密材料からなるバッグ等の膨張可能部材を組み込むものがある。実際には、膨張可能部材は、収縮させて折り畳んだ状態で、シートの該一部分にある閉ハウジング内に設置される。
【０００６】
また、車両が衝突した瞬間、膨張可能部材は、ガスボンベ等の圧縮ガス源と流体連通される。
【０００７】
一般的に、ガス源は、所定量の圧縮ガスを膨張可能部材に導入するようになっており、これにより膨張可能部材を膨張して張りつめた状態にして、丸い形状の膨張ケーシング、例えば、バルーン状又は円筒形状のケーシングを形成する。
【０００８】
特に、膨張状態にある膨張可能部材は、適切に設けられた開口又は開閉可能な蓋を介してシートのケーシングから突出する。
【０００９】
しかしながら、先行技術に係るシートは、膨張可能部材を極めて急速に膨張させるほどの衝突や事故時における使用者の保護という点において十分に効果的ではないように思える。特に、膨張状態にある膨張可能部材の位置を制御するのが難しいことが認められている。実際、急速な膨張の結果、膨張可能部材の展開を推測的に方向付けるのが困難であり、従って、衝突に対して使用者を確実に保護するのが困難である。
【００１０】
膨張させた部材の位置付けは完全には予測可能でなく、従って、誤って位置付けられると使用者を的確に保護することができない場合がある。
【００１１】
従って、衝突時に、乗員をシートに保持して、乗員がシートの外郭から飛び出して他の乗員又は自動車の車体や室内材料の剛性部若しくは他の剛性部にぶつかるのを避けることができない。
【発明の概要】
【発明が解決しようとする課題】
【００１２】
本開示の根底にある技術的問題は、上記欠点を克服し且つ／又は更なる利点を実現することが可能なシート用のカバーアセンブリ及びシートを提供することである。
【課題を解決するための手段】
【００１３】
この問題は、独立請求項１に規定するシート用のカバーアセンブリと、請求項１４に規定するシートと、請求項１９に規定する車両とによって解決される。
【００１４】
本開示に係るシート用のカバーアセンブリのおかげで、また、このアセンブリを含むシートによって、膨張可能部材の膨張時におけるシートの変形を制御して、カバーから膨張可能部材が完全に又は部分的に出るのを防止することが可能である。
【００１５】
本開示の対象の第２の態様は、対応する従属請求項に規定される。
【００１６】
これらの請求項において、また、本開示の全体において、「シート用のカバーアセンブリ」という表現は、シートの支持フレーム又は耐荷重性フレームワークと組み合わせられるようになっている、またより詳しくは、支持フレームと共に使用者にとって適切な座席を実現するためにシートの支持フレームを覆うようになっている一組の部材を意味する。
【００１７】
「シート」という表現は、使用者の座席を提供するようになっている物品を意味し、このシートは、膨張可能部材の存在のおかげで、衝突又は事故時に効果的な保護を提供することができる。
【００１８】
本開示に係るシートは、運転者シート、又は乗員シート（前部座席又は後部座席）、又はベビーシートとして、車両（自動車、飛行機、ヘリコプター、及び同様の車両）用のシートとすることができる。
【００１９】
あるいは、本開示に係るシートは、衝突又は事故が起こり得る、スポーツに使用される車両等の車両に搭載するために使用することができる。
【００２０】
本開示の対象は、幾つかの顕著な利点を提供する。
【００２１】
本開示に係るシート用のカバーアセンブリ及び該アセンブリを含むシートの主な利点は、膨張可能部材がカバーの内側、特に、カバーの下に保持され、従って、シートの内部に設置されるようになっていることにある。考え得る作動及び膨張の後、膨張可能部材を覆うとともにそれを含むカバーの存在によって決まる膨張可能部材の保持のおかげで、膨張可能部材はカバーの下に留まり、カバーの下のその箇所において、膨張可能部材の位置が膨張状態において推測的により制御される。
【００２２】
他の利点は、事実上、膨張可能部材の膨張が起こると、シートが変形することによって、使用者に恐怖を感じさせたり更には膨張可能部材に対する衝突で怪我をさせたりし得る膨張可能部材の不意で突然な解除を避けられることにある。
【００２３】
一実施例において、シートには、バックレストと、該バックレストの側部の領域に位置付けられた膨張可能部材とが設けられている。膨張可能部材が膨張状態にある時、シートが変形して、バックレストの前部／前方に向かって突出する隆起又は側方バリアを示す。実際には、シートに着座している使用者は、（シートの前方領域に向かって突出する）側方バリアによって横方向に保持されて、彼がシートに対して横方向に移動するのが防止される。
【００２４】
好ましくは、この側方バリアは前方に延在して、使用者の脚部も横方向に保護する。
【００２５】
あるいは、カバーアセンブリは、上記側方バリアとは独立した、シートの座席の側部の領域に設置される保護バリアを含む。
【００２６】
好ましくは、頭部の誤った動きを防止するために、シートは、ヘッドレストと、該ヘッドレストの側部の高さまで延在する側方バリアとを含む。一実施例において、カバーは、プラスチック材料からなるか、弾性インサートを含む。
【００２７】
この最後の実施例の主な利点は、膨張によって影響を受けるカバーの一部分が、膨張可能部材の膨張に適合できるとともに、膨張可能部材が収縮状態に戻されるのを促進することが可能であることである。これは、一旦、引っ張り作用（この場合膨張可能部材の膨張による）によって変形するとその引張作用が終了した後、開始時の構成又は変形に戻るという、弾性材料の固有の特性のおかげで可能になる。
【００２８】
実際、膨張可能部材が収縮状態に戻ると、カバーの弾性部分が非変形状態又は部分的にのみ変形した状態に戻り、カバーを初期の範囲に戻す。
【００２９】
従って、弾性インサート又は弾性材料によって、膨張による影響を受けるカバーの一部分が、膨張可能部材の容積の変化に適合することができる。更に、弾性伸長の好適な方向（材料の等方性弾性又は異方性弾性の特性による）と、弾性インサートを使用する場合には当該弾性インサートの位置とを適切に選択することによって、膨張状態に向かう膨張可能部材の位置及び展開の制御／方向付けに更に寄与できる。
【００３０】
弾性インサートの存在による他の利点は、概して、カバーの下の膨張可能部材の存在にほとんど影響を受けることなく、カバーを、シートの支持フレームに対してより良好に「フィット」且つ密着させられることにある。
【００３１】
一更なる実施例において、カバーは蛇腹状部を含み、従って、膨張時にこの蛇腹状部が延長して、膨張可能部材の容積の変化に適合することができる。
【００３２】
この、蛇腹状部又は他の開システム若しくは表面延長部には、膨張時に切断される調整された切断可能な縫い糸（ｃａｌｉｂｒａｔｅｄ−ｂｒｅａｋ  ｔｈｒｅａｄｓ）を使用したシームを設けることができる。
【００３３】
一実施例において、初期作動及び膨張後、新たな使用のために膨張可能部材を取り外したり交換したりすることなく、膨張可能部材をカバーの下に永久に保持することが可能である。最終的に、膨張可能部材は、新しい圧縮ガス源に接続される。
【００３４】
特に、本実施例において、衝突／膨張後、膨張可能部材を完全に収縮させるとともに、圧縮ガス源等の膨張手段に新たに接続して保護を回復するのが十分に行える。従って、例えば、予想外の作動が起こった時や、車両が軽い接触事故を起こし修理が可能な時に、新たに使用するために膨張可能部材を回復させる処理を簡略化できるとともに高速化することが可能である。
【００３５】
一実施例において、膨張時に膨張可能部材をカバーの下に保持するために、膨張可能部材の拡張を最適に制御する手段を設けると有利である。例えば、カバーの下に設置するための膨張可能部材の適切な形状は略平坦なマット状形状であることが分かっている。
【００３６】
特に、一実施例において、膨張可能部材の形状を制御するために、膨張可能部材は、膨張可能部材の内部に設置され膨張可能部材自身の表面部分に対向するように安定的に組み込まれた複数のタイ部材、好ましくは縫い糸状で伸長不可能なタイ部材を含む。
【００３７】
本開示において、「タイ部材」という表現は、少なくとも膨張可能部材が膨張状態にある時に、該膨張可能部材の２つ以上の部分に結合又は拘束又は固定され続ける機能を有する部材又は構成要素を意味し、このタイ部材は、膨張可能部材が膨張状態にある時に引張応力によって引っ張られる。
【００３８】
引き伸ばされた又は引っ張られた状態のタイ部材の最大長さを適切に調整することによって、膨張状態にある膨張可能部材の形状を推測的に制御することが可能である。例えば、全てのタイ部材を同じ長さとすることによって、平坦なマット状形状の膨張可能部材を形成することが可能である。
【００３９】
一実施例において、膨張可能部材は、各周縁に沿って互いに組み合わせられて内部チャンバを画成する第１壁部及び第２壁部と、第１壁部に少なくとも部分的に内部接着される第１メッシュと、第２壁部に少なくとも部分的に内部接着される第２メッシュとを含む。タイ部材は、その両端が第１メッシュと第２メッシュとにそれぞれ固定又は締結されている。
【００４０】
周囲に沿って結合された壁部、及び、これら壁部を内側で覆うメッシュに接続されたタイ部材を使用することによって、シームの数（最終的に気密性が不十分になる恐れがある）が少ない膨張可能部材を得ることができ、従って、乗員をシートの外郭の内側に保持するために、長時間膨張可能部材の膨張状態を維持することができる。
【００４１】
本開示の対象の更なる利点、特徴、及び使用モードは、以下に示す、単に非限定の例として提供する本実施例の幾つかの好適な実施例の詳細な説明によって明らかとなろう。
【００４２】
しかしながら、各実施例は上記利点の１つ以上を有し、いずれの場合も各実施例は上記利点の全てを同時に有する必要はないということは明らかである。
【００４３】
以下に説明する添付の図面の図を参照する。
【図面の簡単な説明】
【００４４】
【図１】収縮状態における、本開示のシート用のカバーアセンブリの斜視図を示す。
【図２】膨張状態における、本開示のシート用のカバーアセンブリの斜視図を示す。
【図３】本開示のシートのフレームに組み込まれた膨張状態における膨張可能部材の前面図を示す。
【図４】本開示のシートのフレームに組み込まれた膨張状態における膨張可能部材の側面図を示す。
【図５】本開示のシートのフレームに組み込まれた膨張状態における膨張可能部材の後面図を示す。
【図６】図１のシート用のカバーアセンブリのＶＩ−ＶＩ線に沿う概略断面図を示す。
【図７】図２のシート用のカバーアセンブリのＶＩＩ−ＶＩＩ線に沿う概略断面図を示す。
【図７Ａ】図２のシート用のカバーアセンブリのＶＩＩＡ−ＶＩＩＡ線に沿う概略断面図を示す。
【図８】図４の膨張可能部材のＶＩＩＩ−ＶＩＩＩ線に沿う概略断面図を示す。
【図９】図８のＩＸ部の詳細を拡大して示す。
【図１０】図８のＸ部の詳細を拡大して示す。
【図１１】シートが収縮状態にある、更なる実施例に係る、本開示のシート用のカバーアセンブリの斜視図を示す。
【図１２】図１１のシート用のカバーアセンブリのＸＩＩ−ＸＩＩ線に沿う概略断面図を示す。
【図１３】シートが膨張状態にある、更なる実施例に係る、本開示のシートの斜視図を示す。
【図１４】更なる実施例に係る、収縮状態にあるシート用のカバーアセンブリの斜視図を示す。
【図１５】更なる実施例に係る、膨張状態にあるシート用のカバーアセンブリの斜視図を示す。
【図１６】膨張状態にある、図１５のカバーアセンブリの部分断面前面図を示す。
【実施例１】
【００４５】
付属の図１〜１０を参照し、参照符号１００は、本開示に係るシート１用のカバーアセンブリを示す。この例において、シート１は、車両３００（この例では自動車）の運転者シート１であり、車両３００は、その車体の一部のみを例示している。シート１は支持フレーム３を備える。
【００４６】
支持フレーム３という表現は、シートの内部構造体を指し、例えば、耐荷重性フレームワークやパッド、スプリング等、使用者にとって快適な座席を使用者に与えるものが含まれる。ここで、このような内部構造体は、従来型のものであり、これ以上説明はしない。図示の例において、シート１は、バックレスト８と、座席９と、ヘッドレスト１０とを備える。
【００４７】
カバーアセンブリ１００は、支持フレーム３を覆う又は被覆するカバー４と、膨張可能部材とを含む。膨張可能部材は、この例では、以下に説明するように、乗員に対して保護を提供するようにシート１の対応する領域に位置付けられた３つの膨張可能部材２，１３，１４である。
【００４８】
各膨張可能部材２，１３，１４は、膨張流体、例えば、ヘリウムのような低温ガスを導入することによって膨張するようになっている。この例では、膨張可能部材２，１３，１４に内部接続された容器（ボンベ）６０を使用する。
【００４９】
特に、各膨張可能部材２，１３，１４は、収縮した休止状態及び動作時の膨張状態をとるようになっている。本明細書では、膨張可能部材２の膨張モード及び構造について以下に説明する。
【００５０】
図から認められるように、カバー４は、各膨張可能部材２，１３，１４を、収縮状態と膨張状態との両方において収容している。換言すれば、収縮状態及び膨張状態の両方の状態において、各膨張可能部材２，１３，１４は、支持フレーム３に対向するようになっているカバー４の側面５（図６，７，７Ａ）上に位置している。従って、各膨張可能部材２，１３，１４は、カバー４と支持フレーム３との間に視界から隠されるように介在するようになっている。
【００５１】
更に詳細には、この例において、各膨張可能部材２，１３，１４は、視界から隠されるように位置し、保護すべきゾーンの領域におけるカバー４の一部分の側面又は内面５に接触している。従って、膨張可能部材２，１３，１４の領域におけるカバー４の該一部分は、膨張可能部材２，１３，１４を完全に覆い、膨張可能部材２，１３，１４を完全に覆って／閉じている。
【００５２】
当然、各膨張可能部材２，１３，１４は、永久に視界から隠されており、基本的にシート１外に出ることはなく、膨張可能部材２，１３，１４の膨張中、シート１の外郭を変形させる。また、換言すれば、膨張可能部材２，１３，１４は、収縮状態及び膨張状態の両方においてカバー４に収容され（包み込まれ）ており、シート１が変形することによって膨張可能部材２，１３，１４は拡張することができる。
【００５３】
特に、シート１の膨張／収縮は、図２、図３〜５、そして特に図７において視認できる。
【００５４】
また特に、図１〜５に示す例において、カバーアセンブリ１００は、シート１のバックレスト８の各側方ゾーン又は側部に位置する側方部２ａ，２ｂ又はウイングと、シート１特にバックレスト８の後方ゾーンにマント状（ｍａｎｔｌｅ−ｌｉｋｅ）に配置される後方部又は附属部（ａｐｐｅｎｄａｇｅ）２ｃとを含む。後方部２ｃは、シート１の支持フレーム３の上方ゾーン又は上部３ａの領域に位置する各上部２ｄ，２ｅの領域において、側方部２ａ，２ｂ間に介装且つ接続されている。
【００５５】
また、側方部２ａ，２ｂは、シート１の上方ゾーンにおいて前方に屈曲している。
【００５６】
実際には、この図示の例において、膨張可能部材２は、支持フレーム３を囲繞又は包囲するように位置し、膨張するとシート１を変形させて２つの側部バリア１１及び１２（図２，図７，図７Ａ）を画成するような形状を有している。側部バリア１１及び１２は、隆起状にバックレスト８の両側部に突出して、使用者の考えられる突然の移動を横方向に受容し、また同時に、バックレスト８の後方側において、自動車３００の後部座席に着座している乗員を保護する。
【００５７】
なお、側方バリア１１及び１２は、使用者の頭部も横方向に受容するように、ヘッドレスト１０の高さに到るまで延在している。
【００５８】
図６及び７に、より理解を深めるために、膨張により影響を受けたバックレスト８の側部を、わずかに一部取り外した状態で、概略断面図として示す。図は、前方に屈曲した膨張可能部材２が、膨張状態では、前方に突出して側部バリア１１又は１２を画成するのを示している。
【００５９】
膨張可能部材２には、それぞれが牽引部材として機能する２本のテープ４０，４２、上側テープ及び下側テープも設けられる（図３及び７）。テープ４０，４２は、バックレスト８の領域において支持フレーム３の後方に位置付けられるとともに膨張可能部材２の側方部２ａ，２ｂに２つの異なる高さで接続し、膨張状態において２つの側方部２ａ，２ｂをバックレスト８の側部に対して略位置合わせされて平行になるように維持して、側方部２ａ，２ｂ自体の過度の横方向の拡大を防止することができる。
【００６０】
膨張可能部材２をカバー４の下方において安定且つ固定した位置に保持するために、膨張可能部材２にはアイボルト４５が設けられている。アイボルト４５は、膨張可能部材２の周縁に沿って配置されて、レース（紐）（不図示）によって支持フレーム３に接続されるようになっている。
【００６１】
更に、膨張可能部材２は、最終的にアイボルト４５／レースによって、少なくとも部分的にカバー４に固定される。
【００６２】
カバーアセンブリ１００は、座席９の側部に配置されるようになっている膨張可能部材１３及び膨張可能部材１４を含む。膨張可能部材１３及び膨張可能部材１４は略矩形状を有し、カバー４の下方に固定される。これらは、膨張可能部材２に対して構造的に独立している。
【００６３】
膨張状態において、膨張可能部材１３及び１４は、使用者の脚部にそれぞれ対応する追加保護バリア１５，１６を形成する（図２）。
【００６４】
なお、膨張可能部材２を覆うようになっているカバー４又は膨張可能部材１３又は１４を覆うようになっているカバー４は、一体でもよいし、構造的に独立した２つの単体であってもよい。
【００６５】
指摘すべき点は、シート１及びカバーアセンブリ１００によって、乗員が衝突時にシートに保持されるため、その乗員がシートの外郭から飛び出して他の乗員又は自動車３００の車体や室内材料の剛性部にぶつかるのを避けられるということである。
【００６６】
更に、カバー４を膨張可能部材２，１３，１４の膨張に適合させるために、カバー４の一部分は、好ましくは、弾性インサート６を含む。弾性インサート６は、膨張可能部材２の領域において延在してバックレスト８の後方側全体を覆い、また、膨張可能部材１３及び１４の領域において延在している。弾性インサート６は、好ましくは、弾性層、例えばエラストマーと組み合わせたナイロンからなる。
【００６７】
更により詳しくは、弾性インサート６は、シーム７を介して、膨張の影響を受けないカバー４の一部分、そして特に、図６及び７から視認できるようにバックレスト８の前部又は前方側８ａの領域に、そして、座席９の上方ゾーン９ａに固定されている。従って、弾性インサート６は、バックレスト８の側方及び後方ゾーン並びに座席９の側方ゾーンを占める。
【００６８】
実質的に、シート１のこの実施例において、各膨張可能部材２，１３，１４を膨張させると、これら膨張可能部材２，１３，１４の拡張力によってカバー４の一部分が変形して、側方バリア１１及び１２、並びにバックレスト８の後方保護、並びに座席９の保護バリア１５，１６を形成する。
【００６９】
弾性インサート６によって、シート１は、各膨張可能部材２，１３，１４の容積の変動に適合できるようになっている。
【００７０】
各膨張可能部材２，１３，１４が収縮すると、弾性インサート６は、その弾性特性のおかげで、カバー４と共に非変形状態に戻り、それにより各膨張可能部材２，１３，１４の圧縮及び収縮を少なくとも部分的に促進させる。
【００７１】
弾性材料からなるインサート６の存在により得られる他の利点は、カバー４の一部分の支持フレーム３への良好な密着を促進させるということにある。
【００７２】
指摘すべき点は、膨張状態において、膨張可能部材２の側方部２ａ，２ｂ及び後方部２ｃ、並びに膨張可能部材１３，１４が、当該側方バリア１１，１３及び保護バリア１５，１６を画成する平坦なマット状形状を有し、この平坦形状によって、シート１に着座している使用者の、必要な横方向の収容が得られ、また、この形状は、膨張可能部材２，１３，１４をカバー４の下方に位置付けるのにも適している。
【００７３】
事実、この形状のおかげで、膨張可能部材２，１３，１４の予め定められる必要な拡張容積を低減でき、膨張状態においてもカバー４の内部に留めることができる。
【００７４】
特に、図８〜１０を参照して、膨張可能部材２，１３，１４の構造を説明する。簡潔さのために、構造については膨張可能部材２のみ参照して説明するが、膨張可能部材１３及び１４も同じ構造を有することは理解されよう。
【００７５】
膨張可能部材２は、互いに離間配置されて内部チャンバ２５を画成する２つの壁部２１，２２を含む。この例において、これら２つの壁部の材料は、膨張ガスに対して気密性を有する。特に、壁部２１，２２は、この例において密封固定された周囲に沿って接続されている。
【００７６】
膨張可能部材２はまた、第１メッシュ２９及び第２メッシュ３０を含む。第１メッシュ２９及び第２メッシュ３０は、一方が他方に対向し、複数のタイ部材２７によって接続されている。
【００７７】
２つの壁部２１，２２は、２つのメッシュ２９，３０によって形成される構造をサンドウィッチ状に有するケースを画成する。特に、各メッシュ２９，３０は内側で各壁部２１，２２を覆い、該壁部２１，２２に接着剤により固定される。
【００７８】
実質的に、膨張可能部材２は、２つのメッシュ２９，３０と、この例では気密な２つの壁部２１，２２又は層とを含む予め製造された（プレハブ式の）織物構造又は本体を含み、第１壁部２１が第１メッシュ２９に接着され、第２壁部２２が第２メッシュ３０に接着されている。
【００７９】
タイ部材２７は、両端２７ａ，２７ｂが、各メッシュ２９，３０に安定的に固定されている。タイ部材２７の両端２７ａ，２７ｂの領域における固定は、例えば、各メッシュ２９，３０の横糸間にタイ部材２７を単に製織することによって得られる。
【００８０】
あるいは、各タイ部材２７を、第１及び第２メッシュ２９，３０の両方と一体的に織り合わせられた、又は、該第１及び第２メッシュ２９，３０から連続的に展開された縫い糸とする。実際には、縫い糸／タイ部材２７を上記第１及び第２メッシュ２９，３０の一方から延出させ、該第１及び第２メッシュ２９，３０の他方と織り合わせる。
【００８１】
２つのメッシュ２９，３０及びタイ部材２７は、いわゆる３Ｄ（３次元）又はダブル・ニットファブリックを形成する。
【００８２】
メッシュ２９及び３０は、ポリエステル又はポリアミドからなる。
【００８３】
２つの壁部２１，２２又は層は、柔軟で気密性を有する材料、例えば、ポリアミド又はポリウレタンの層からなる。２つの壁部２１，２２は、一方が他方に対向し、上記周囲の縁部２３，２４に沿って周囲方向に固定されている。
【００８４】
この例において、タイ部材２７は、縫い糸の形状を有し、約５００〜約１０００デシテックス（連続的な縫い糸又は撚り糸の長さの単位）の太さを有する例えばポリエステル又はポリアミドからなる。更により詳しくは、各縫い糸２７は、各メッシュ２９，３０の単一の点から延出する連続的な耐捩れ性の繊維の束を含む。
【００８５】
タイ部材２７は適切なサイズとする。つまり、膨張可能部材２が休止状態にある時には、好ましくは引っ張られずに内部チャンバ２５内において畳まれているが、膨張可能部材２が膨張状態にある時には、図７〜１０の例を用いて例示するように引張応力がかかるようにする。
【００８６】
タイ部材２７は、好ましくは、膨張可能部材２内に厚く均質となるように分布させる。例えば、膨張可能部材２の表面各１ｃｍ２当たり少なくとも１本のタイ部材となる密度とし、更により好ましくは、あくまで一例であるが、膨張可能部材２の表面各１ｃｍ２当たり１〜１５本の線、好ましくは各１ｃｍ２当たり４〜６本の線が含まれる密度とする。
【００８７】
前述の説明から指摘できることは、タイ部材２７によって膨張状態における膨張可能部材２の平坦形状を制御できるとともに、概して、シート１における使用に応じた膨張可能部材２の形状を制御できることである。
【００８８】
実際、引き伸ばされた又は引っ張られた状態のタイ部材２７の最大長さを適切に調整することによって、膨張状態における膨張可能部材２の形状を推測的に制御することが可能である。
【００８９】
図７Ａを参照し、指摘すべき点は、部２ｄ，２ｅとの接続ゾーンの領域における膨張可能要素２の側方部２ａ，２ｂの前方での屈曲Ｐを容易にするために、屈曲領域におけるメッシュ２９及び３０と直接接触して接続されるシーム（図面では見えない）を設けて、屈曲Ｐのための厚さの収縮が得られるということである。
【実施例２】
【００９０】
図１１及び１２を参照し、更なる実施例に係るシート１０１用のアセンブリ１００１を示す。
【００９１】
前述の実施例の部材及び部品と同じ機能及び構造を有する本実施例の部材及び部品については、同じ参照符号を付し、説明は繰り返さない。
【００９２】
特に、アセンブリ１００１は、カバー１０４の一部分が、上記弾性インサート６の代わりに蛇腹状部１０６を含む点において、前の実施例と異なる。
【００９３】
特に、蛇腹状部１０６は、バックレスト８の側部の領域に位置付けられる。
【００９４】
また本実施例において、膨張可能部材２は、図２〜５に示すのと同じ膨張降下を得るためにシート１０１及びバックレスト８の側部の領域とともに、この例では座席９の側部の領域にも位置付けられる。
【００９５】
実質的に、またシート１０１の本実施例において、膨張可能部材２が膨張すると、カバー１０４の一部分が膨張可能部材２の拡張力によって変形して、側方バリア１１及び１２とともに、この例ではバリア１５及び１６も形成する。蛇腹状部１０６によって、シート１０１は、膨張可能部材２の容積の変動に適合できるようになっている。
【実施例３】
【００９６】
図１３を参照し、更なる実施例に係るシート２０１を示す。
【００９７】
前述の実施例の部材及び部品と同じ機能及び構造を有する本実施例の部材及び部品については、同じ参照符号を付し、説明は繰り返さない。
【００９８】
特に、シート２０１は、前述の第１実施例と同様に、複数の構造的に独立した膨張可能部材（図１３に点線で示すとともに参照符号２，１３，１４，２０２，２０３を付している）を含み、これらが、バックレスト８の側部、シート２０１の座席９の側部、及びヘッドレスト１０の側部にそれぞれ配置されている。
【００９９】
これら膨張可能部材２，１３，１４，２０２，２０３の領域において、シート２０１は、変形を可能とする弾性インサート６、あるいは、図示しない蛇腹状部を含む。
【０１００】
膨張可能部材１３，１４，２０２，２０３は、前述の膨張可能部材２の縫い糸を用いたものと同じ構造を有する。
【０１０１】
膨張状態において、膨張可能部材２，１３，１４，２０２，２０３は、その平坦で制御された形状のおかげで、使用者の頭部領域、使用者の頭部、胴体、及び脚部／膝の領域においてそれぞれ、使用者の側部に容易に位置付けられて、使用者を側方の衝突から保護する。
【０１０２】
実質的に、シート２０１は、膨張状態において、衝撃が起こり得る側部の全てで使用者を「包む」ようになっている。
【実施例４】
【０１０３】
図１４，１５，１６を参照し、更なる実施例に係るシート３００１用のカバーアセンブリ３１００を示す。
【０１０４】
前述の実施例の部材及び部品と同じ機能及び構造を有する本実施例の部材及び部品については、同じ参照符号を付し、説明は繰り返さない。
【０１０５】
カバーアセンブリ３１００は、支持フレーム３及び膨張可能部材３００２を覆う又は被覆するカバー３００４を含み、膨張可能部材３００２は、使用者に保護を提供するようにされたシート３００１の領域に位置付けられるようになっている。ここで、膨張可能部材３００２は、膨張流体、例えば、ヘリウムのような低温ガスを導入することによって膨張するようになっている。この例では、膨張可能部材３００２に接続された容器（ボンベ）６０を使用する。
【０１０６】
また本実施例では、カバー３００４は、膨張可能部材３００２を、収縮状態と膨張状態との両方において被覆する。
【０１０７】
膨張可能部材３００２は、前述の膨張可能部材２の縫い糸を用いたものと同じ構造を有する。
【０１０８】
より詳しくは、図１４〜１６に示す例において、カバーアセンブリ３１００は、シート３００１のバックレスト８の各側方ゾーン又は側部に位置する側方部３００２ａ，３００２ｂ又はウイングと、シート３００１、特にバックレスト８の各後方ゾーンにマント状（ｍａｎｔｌｅ−ｌｉｋｅ）に配置されるようにされた後方部又は附属部（ａｐｐｅｎｄａｇｅ）３００２ｃとを有する膨張可能部材３００２を含む。後方部３００２ｃは、シート３００１の支持フレーム３の上方ゾーン又は上部の領域における、図１６では部３００２ｄのみ示す、上方ゾーンの領域において、側方部３００２ａ，３００２ｂ間に介装且つ接続されている。
【０１０９】
実際には、ここで説明する例において、膨張可能部材３００２は支持フレーム３を囲繞又は包むことができるように位置付けられ、膨張するとシート３００１を変形させて２つの側方バリア３０１１及び３０１２（図１６）を作り上げるような形状を有している。側方バリア３０１１及び３０１２は、隆起状にバックレスト８の両側に突出して、使用者のあらゆる突然の移動を横方向に受容し、また同時に、バックレスト８の後方側において、自動車３００の後部座席に着座している乗員を保護する。
【０１１０】
指摘すべき点は、側方バリア３０１１及び３０１２は、使用者の頭部も横方向に受容するように、ヘッドレスト１０の高さに到るまで延在していることである。
【０１１１】
また、側方バリア３０１１及び３０１２は、シートの座席９も横方向に保護するのに十分前方へ突出し、これにより、使用者の脚部（すなわち膝まで延在する）を保護する。側方バリア３０１１及び３０１２の前方への長さは、シート３００１及び車両３００の種類に応じて選択でき、座席用の追加の膨張可能部材を設ける必要はない。
【０１１２】
実際には、単一の膨張可能部材３００２で、シート３００１に着座している使用者を横方向に受容することができる。
【０１１３】
また本実施例において、膨張可能部材３００２には、それぞれが牽引部材として機能する２本のテープ４０，４２が更に設けられている。
【０１１４】
また、カバー３００４を膨張可能部材３００２の膨張に適合させるために、カバー３００４の一部分は、好ましくは、弾性インサート３００６を含む。弾性インサート３００６は、前述の弾性インサート６と同じ様に、側方バリア３０１１，３０１２の領域において延在してバックレスト８の後方側全体を覆っている。弾性インサート３００６は、好ましくは、弾性層、例えばエラストマーと組み合わせたナイロンからなる。
【０１１５】
実質的に、シート３００１の本実施例において、膨張可能部材３００２は、座席９に位置するバリア無しに、側方バリア３０１１及び３０１２並びにバックレスト８の後方保護を作り上げるように形成されている。
【０１１６】
車両３００の事故及び／又は衝突の際に膨張可能部材２，１３，１４，２０２，２０３，３００２の膨張を実行するために、本開示に係るシート１，１０１，２０１，３００１は、適切な作動・膨張手段と協働するようになっている。作動・膨張手段として、図５には、あくまで一例であるが、ヘリウムの容器（ボンベ）６０（低温ガス発生器）が例示されている。容器（ボンベ）６０は、例えば、膨張可能部材２，１３，１４，２０２，２０３，３００２の内部、又は、膨張可能部材２の外部に位置付けられる。
【０１１７】
あるいは、このような膨張手段は、火工式若しくはハイブリッド式ガス又は技術水準において既知の他の種類のガスの発生器を備えてもよい。
【０１１８】
当該膨張手段は、車両の状態の検出に基づき、例えば、車両の移動状態及び減速の検出に基づき、技術水準において既知のエアバッグの作動に既に用いられている方法で、制御ユニットによって制御される。
【０１１９】
なお、作動モードについては、装置の効果的な動作にとって特に関連する側面ではあるが、基本的に当業者にとって既知の方法であるので更に説明はしない。
【０１２０】
シート１，１０１，２０１，３００１は、任意ではあるが、図面には示さない収縮弁を含む。この収縮弁は、作動後、保護作用がもはや必要がなくなった時に膨張可能部材２，１３，１４，２０２，２０３，３００２を収縮させることができるように、一方側では膨張可能部材２，１３，１４，２０２，２０３，３００２の内部チャンバ２５と連通し、他方側では外部環境と連通している。
【０１２１】
当該収縮弁は、通常は閉位置にあるが、使用者によって手動で開弁させることができる。実際、収縮弁を開弁させると、膨張状態にある膨張可能部材１３，１４，２０２，２０３，３００２と外部環境との圧力差により、ガスを内部チャンバ２５及び膨張可能部材１３，１４，２０２，２０３，３００２から流出させて、収縮させる。
【０１２２】
代替手段として、収縮弁の作動は、膨張手段の作動後所定の時間間隔（例えば１５秒）経過した時に収縮弁を開弁する電子制御ユニット（不図示）によって制御してもよい。
【０１２３】
更なる実施例によれば、収縮弁の代わりに、達成すべき収縮時間に応じて調整された直径を有する収縮チューブを使用することも可能である。
【０１２４】
収縮の制御は、例えば、衝突後、使用者が膨張状態にあるシート上でもがくことなく車両から容易に出られるようになるため有益である。
【０１２５】
以上、本開示の主題を、その好適な実施例を参照して説明してきた。同一の発明の概念内から逸脱しない全ての他の実施例及び以下の保護すべき特許請求の範囲内に包含される全ての他の実施例も存在し得ることは理解されよう。
【図１】
2013522096.tif 000003
【図２】
2013522096.tif 000004
【図３】
2013522096.tif 000005
【図４】
2013522096.tif 000006
【図５】
2013522096.tif 000007
【図６】
2013522096.tif 000008
【図７】
2013522096.tif 000009
【図７Ａ】
2013522096.tif 000010
【図８】
2013522096.tif 000011
【図９】
2013522096.tif 000012
【図１０】
2013522096.tif 000013
【図１１】
2013522096.tif 000014
【図１２】
2013522096.tif 000015
【図１３】
2013522096.tif 000016
【図１４】
2013522096.tif 000017
【図１５】
2013522096.tif 000018
【図１６】
2013522096.tif 000019
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
シート（１，１０１，２０１，３００１）用のカバーアセンブリ（１００，１００１，３１００）であって、
カバー（４，１０４，３００４）と、
休止時の収縮状態及び動作時の膨張状態をとるようになっている膨張可能部材（２，１３，１４，２０２，２０３，３００２）と
を備え、
前記膨張可能部材（２，１３，１４，２０２，２０３，３００２）が、前記カバー（４，１０４，３００４）の側部又は表面に設置され、
前記カバー（４，１０４，３００４）が、前記膨張可能部材（２，１３，１４，２０２，２０３，３００２）を、前記収縮状態及び前記膨張状態の両方におい収容するようになっており、
前記膨張可能部材（２，３００２）が、少なくとも２つの側部ウイング（２ａ，２ｂ；３００２ａ，３００２ｂ）を含み、
前記カバーアセンブリ（１００，１００１，３１００）が、前記膨張可能部材（２）の各部分（２ａ，２ｂ；３００２ａ，３００２ｂ）に接続し、膨張状態における前記部分（２ａ，２ｂ；３００２ａ，３００２ｂ）を既定の相互位置に保持するようになっている少なくとも１つの牽引部材（４０，４２）を備え、前記部分（２ａ，２ｂ；３００２ａ，３００２ｂ）が前記側部ウィング（２ａ，２ｂ）であるカバーアセンブリ（１００，１００１，３１００）。
【請求項２】
前記カバー（４，１０４，３００４）が、膨張可能部材（２，１３，１４，２０２，２０３，３００２）に対して完全な覆いを形成する、請求項１に記載のカバーアセンブリ（１００，１００１，３１００）。
【請求項３】
前記カバー（４，１０４）が、少なくとも部分的に延出可能なカバー（４，１０４，３００４；６，１０６，３００６）である、請求項１又は２に記載のカバーアセンブリ（１００，１００１，３１００）。
【請求項４】
前記カバー（４，３００４）が弾性材料からなる、請求項３に記載のカバーアセンブリ（１００，１００１，３１００）。
【請求項５】
前記カバー（４，３００４）が、弾性インサート（６，３００６）を含む、請求項３に記載のカバーアセンブリ（１００，１００１，３１００）。
【請求項６】
前記カバー（１０４）が、蛇腹状部（１０６）を含む、請求項３に記載のカバーアセンブリ（１００，１００１，３１００）。
【請求項７】
前記膨張可能部材（２）には、それぞれが前記牽引部材として機能する２本のテープ（４０，４２）、上側テープ及び下側テープも設けられ、前記テープが、前記バックレスト（８）の領域において支持フレーム（３）の後方に位置付けられるとともに前記膨張可能部材（２）の前記側部ウイング（２ａ，２ｂ）に２つの異なる高さで接続し、前記膨張状態において前記２つの側部ウイング（２ａ，２ｂ）を前記バックレスト（８）の側部に対して略位置合わせされて平行になるように維持して、前記側部ウイング（２ａ，２ｂ）自体の過度の横方向の拡大を防止することができるようになっている、請求項１に記載のカバーアセンブリ（１００，１００１，３１００）。
【請求項８】
前記牽引部材（４０，４２）が弾性テープである、請求項１に記載のカバーアセンブリ（１００，１００１，３１００）。
【請求項９】
前記シート（１，２０１）の座席（９）の第１側部の領域に設置されるようになっている第１膨張可能部材（１３）と、前記座席（９）の第２側部の領域に設置されるようになっている第２膨張可能部材（１４）とを備える、請求項１〜８のいずれか一項に記載のカバーアセンブリ（１００，１００１，３１００）。
【請求項１０】
前記膨張可能部材（２，１３，１４，２０２，２０３，３００２）が、前記膨張可能部材（２，１３，１４，２０２，２０３，３００２）内部に設置されるとともに前記膨張可能部材（２，１３，１４，２０２，２０３，３００２）の表面部（２１，２２，２９，３０）に安定的に組み込まれる複数のタイ部材（２７）を備え、
前記タイ部材（２７）が、前記膨張可能部材（２，１３，１４，２０２，２０３，３００２）が前記収縮状態にある時は該タイ部材（２７）が引っ張られていない状態で前記膨張可能部材（２，１３，１４，２０２，２０３，３００２）の内部に畳まれ、前記膨張可能部材（２，１３，１４，２０２，２０３，３００２）が前記膨張状態にある時は該タイ部材（２７）に引張応力がかかるようなサイズを有している、請求項１〜９のいずれか一項に記載のカバーアセンブリ（１００，１００１，３１００）。
【請求項１１】
前記膨張可能部材（２，１３，１４，２０２，２０３，３００２）が、対応する周縁部（２３，２４）に沿って一方が他方に固定されて内部チャンバ（２５）を画成する第１壁部（２１）及び第２壁部（２２）と、前記チャンバ（２５）内に位置付けられ、前記第１壁部（２１）に少なくとも部分的に内部接着された第１メッシュ（２９）及び前記第２壁部（２２）に少なくとも部分的に内部接着された第２メッシュ（３０）を含む織物構造とを備え、
前記タイ部材（２７）は、その両端（２７ａ，２７ｂ）が前記第１メッシュ（２９）と前記第２メッシュ（３０）とにそれぞれ固定されている、請求項１０に記載のカバーアセンブリ（１００，１００１，３１００）。
【請求項１２】
前記膨張可能部材（２，１３，１４，２０２，２０３，３００２）が、衝突時に膨張するようになっている、請求項１〜１１のいずれか一項に記載のカバーアセンブリ（１００，１００１，３１００）。
【請求項１３】
請求項１〜１２のいずれか一項に記載のカバーアセンブリ（１００，１００１，３１００）を含み、前記カバーが前記シート（１，１０１，２０１，３００１）の支持フレーム（３）を覆うようになっているシート（１，１０１，２０１，３００１）。
【請求項１４】
前記シート（１，１０１，２０１，３００１）が、自動車のシート（３００）である、請求項１３に記載のシート（１，１０１，２０１，３００１）。
【請求項１５】
バックレスト（８）を備え、
前記膨張可能部材（２，１３，１４，２０２，２０３，３００２）が、前記バックレスト（８，２２３）の側部に位置付けられ、
前記膨張可能部材（２，１３，１４，２０２，２０３，３００２）が前記膨張状態にある時、前記シート（１，１０１，２０１，３００１）は、該シート（１，１０１，２０１，３００１）の前方領域に向かって延在する側方バリア（１１，１２，３０１１，３０１２）を有する、請求項１３又は１４に記載のシート（１，１０１，２０１，３００１）。
【請求項１６】
前記シート（１，１０１，２０１，３００１）が、座席（９）と、該座席（９）の両側部に位置付けられた保護バリア（１５，１６）とを備える、請求項１５に記載のシート（１，１０１，２０１，３００１）。
【請求項１７】
ヘッドレスト（１０）と、ヘッドレスト（１０）の側部に位置付けられた側方バリア（１１，１２，３０１１，３０１２）とを備える、請求項１５又は１６に記載のシート（１，１０１，２０１，３００１）。
【請求項１８】
請求項１３〜１７のいずれか一項に記載のシート（１，１０１，２０１，３００１）を含む車両（３００）。
【国際調査報告】
2013522096.tif 000020
2013522096.tif 000021
2013522096.tif 000022